(57)【要約】【課題】複数の遊技場について遊技関連情報と遊技指標情報を遊技場毎かつ遊技機毎に管理するにあたり、該遊技指標情報の算出及び記憶を行う端末装置を各遊技場に設ける必要がないと共に、複数の遊技場に関する遊技関連情報及び／又は遊技指標情報から得られる、遊技場の経営判断において有用な情報を各遊技場に対して提供できる遊技用管理システムを提供する。【解決手段】遊技場外に設けられる管理コンピュータ２０において、遊技関連情報の記憶と遊技指標情報の算出及び記憶を行うと共に、複数の遊技場に関する遊技関連情報及び／又は遊技指標情報を平均した平均情報を算出し、所定の抽出条件に合致する平均情報を抽出して各遊技場に設けられる場内コンピュータ１０に対して送信する。【選択図】      図１
2004254969.tif 000002
【特許請求の範囲】
【請求項１】
遊技機での遊技に関連して発生する遊技関連情報を複数の遊技機から収集して各遊技機毎に集計する集計手段と、
該集計した遊技関連情報を遊技場外に送信する集計情報送信手段と、
を有し、遊技場内に設けられる場内端末装置と、
複数の遊技場の前記場内端末装置から送信されてきた遊技関連情報を各遊技場毎かつ各遊技機毎に記憶する遊技関連情報記憶手段と、
該遊技関連情報記憶手段により記憶されている遊技関連情報に基づいて、各遊技機毎の遊技状況を示す指標となる遊技指標情報を算出する遊技指標情報算出手段と、
該遊技指標情報算出手段により算出された遊技指標情報を各遊技場毎かつ各遊技機毎に記憶する遊技指標情報記憶手段と、
前記遊技関連情報記憶手段により記憶している複数の遊技場に関する遊技関連情報及び／又は前記遊技指標情報記憶手段により記憶している複数の遊技場に関する遊技指標情報を平均した平均情報を算出する平均情報算出手段と、
該平均情報算出手段により算出された平均情報から所定の抽出条件に合致する平均情報を抽出する平均情報抽出手段と、
を有し、遊技場外に設けられる管理装置と、
前記遊技関連情報記憶手段により記憶されている遊技関連情報及び／又は前記遊技指標情報記憶手段により記憶されている遊技指標情報の送信を前記管理装置に対して要求する情報要求手段と、
前記平均情報を抽出するための抽出条件を指定する抽出条件指定手段と、
を有し、遊技場内に設けられる情報要求端末装置と、を備え、
前記管理装置は、
前記情報要求端末装置からの要求に応じて、前記遊技関連情報記憶手段により記憶している遊技関連情報及び／又は前記遊技指標情報記憶手段により記憶している遊技指標情報を該情報要求端末装置に対して送信する記憶情報送信手段と、前記平均情報抽出手段により抽出された平均情報を前記情報要求端末装置に対して送信する平均情報送信手段と、を有し、
前記情報要求端末装置は、
前記管理装置から送信されてきた遊技関連情報及び／又は遊技指標情報、並びに平均情報を表示する情報表示手段と、を有することを特徴とする遊技用管理システム。
【請求項２】
請求項１に記載した遊技用管理システムであって、
前記抽出条件指定手段は、前記抽出条件として前記遊技機の機種を指定し、
前記遊技関連情報記憶手段は、前記遊技機の機種を特定可能な情報と対応付けて前記遊技関連情報を記憶し、
前記遊技指標情報記憶手段は、前記遊技機の機種を特定可能な情報と対応付けて前記遊技指標情報を記憶し、
前記平均情報算出手段は、各機種毎に前記平均情報を算出し、
前記平均情報抽出手段は、前記平均情報算出手段により算出された各機種毎の平均情報から前記抽出条件指定手段により指定された遊技機の機種についての平均情報を抽出することを特徴とする遊技用管理システム。
【請求項３】
請求項１又は２に記載した遊技用管理システムであって、
前記抽出条件指定手段は、前記抽出条件として前記遊技関連情報及び／又は前記遊技指標情報に関する条件を指定し、
前記遊技関連情報記憶手段は、前記遊技機の機種を特定可能な情報と対応付けて前記遊技関連情報を記憶し、
前記遊技指標情報記憶手段は、前記遊技機の機種を特定可能な情報と対応付けて前記遊技指標情報を記憶し、
前記平均情報算出手段は、各機種毎に前記平均情報を算出し、
前記平均情報抽出手段は、前記平均情報算出手段により算出された各機種毎の平均情報から前記抽出条件指定手段により指定された条件に合致する平均情報を抽出し、
前記平均情報送信手段は、前記平均情報抽出手段により抽出された平均情報に加えて前記遊技機の機種を特定可能な情報を前記情報要求端末装置に対して送信することを特徴とする遊技用管理システム。
【請求項４】
遊技機での遊技に関連して発生する遊技関連情報を複数の遊技機から収集して各遊技機毎に集計する集計手段と、
該集計した遊技関連情報を遊技場外に送信する集計情報送信手段と、
を有し、遊技場内に設けられる場内端末装置と、
複数の遊技場の前記場内端末装置から送信されてきた遊技関連情報を各遊技場毎かつ各遊技機毎に記憶する遊技関連情報記憶手段と、
該遊技関連情報記憶手段により記憶されている遊技関連情報に基づいて、各遊技機毎の遊技状況を示す指標となる遊技指標情報を算出する遊技指標情報算出手段と、
該遊技指標情報算出手段により算出された遊技指標情報を各遊技場毎かつ各遊技機毎に記憶する遊技指標情報記憶手段と、
前記遊技関連情報記憶手段により記憶している複数の遊技場に関する遊技関連情報及び／又は前記遊技指標情報記憶手段により記憶している複数の遊技場に関する遊技指標情報から所定の抽出条件に合致する遊技関連情報及び／又は遊技指標情報を抽出する情報抽出手段と、
該情報抽出手段により抽出された遊技関連情報及び／又は遊技指標情報を平均した平均情報を算出する平均情報算出手段と、
を有し、遊技場外に設けられる管理装置と、
前記遊技関連情報記憶手段により記憶されている遊技関連情報及び／又は前記遊技指標情報記憶手段により記憶されている遊技指標情報の送信を前記管理装置に対して要求する情報要求手段と、
前記遊技関連情報及び／又は遊技指標情報を抽出するための抽出条件を指定する抽出条件指定手段と、
を有し、遊技場内に設けられる情報要求端末装置と、を備え、
前記管理装置は、
前記情報要求端末装置からの要求に応じて、前記遊技関連情報記憶手段により記憶している遊技関連情報及び／又は前記遊技指標情報記憶手段により記憶している遊技指標情報を該情報要求端末装置に対して送信する記憶情報送信手段と、前記平均情報算出手段により算出された平均情報を前記情報要求端末装置に対して送信する平均情報送信手段と、を有し、
前記情報要求端末装置は、
前記管理装置から送信されてきた遊技関連情報及び／又は遊技指標情報、並びに平均情報を表示する情報表示手段と、を有することを特徴とする遊技用管理システム。
【請求項５】
請求項４に記載した遊技用管理システムであって、
前記抽出条件指定手段は、前記抽出条件として前記遊技機の機種を指定し、
前記遊技関連情報記憶手段は、前記遊技機の機種を特定可能な情報と対応付けて前記遊技関連情報を記憶し、
前記遊技指標情報記憶手段は、前記遊技機の機種を特定可能な情報と対応付けて前記遊技指標情報を記憶し、
前記情報抽出手段は、前記遊技関連情報記憶手段により記憶している複数の遊技場に関する遊技関連情報及び／又は前記遊技指標情報記憶手段により記憶している複数の遊技場に関する遊技指標情報から前記抽出条件指定手段により指定された遊技機の機種についての遊技関連情報及び／又は遊技指標情報を抽出することを特徴とする遊技用管理システム。
【請求項６】
請求項４又は５に記載した遊技用管理システムであって、
前記抽出条件指定手段は、前記抽出条件として各遊技場の店舗に関する店舗情報に関する条件を指定し、
前記管理装置は、各遊技場の前記店舗情報を記憶する店舗情報記憶手段を有し、
前記情報抽出手段は、該店舗情報記憶手段の記憶情報に基づいて、前記遊技関連情報記憶手段により記憶している複数の遊技場に関する遊技関連情報及び／又は前記遊技指標情報記憶手段により記憶している複数の遊技場に関する遊技指標情報から前記抽出条件指定手段により指定された条件に合致する遊技場についての遊技関連情報及び／又は遊技指標情報を抽出することを特徴とする遊技用管理システム。
【請求項７】
請求項６に記載した遊技用管理システムであって、
前記平均情報送信手段は、前記抽出条件指定手段により指定された条件に合致する遊技場が所定数に満たない場合には前記平均情報を前記情報要求端末装置に対して送信しないことを特徴とする遊技用管理システム。
【請求項８】
請求項１〜７のいずれか１つに記載した遊技用管理システムであって、
前記管理装置は、
各遊技場の店舗に関する店舗情報を記憶する店舗情報記憶手段と、
該店舗情報記憶手段により記憶されている店舗情報に基づいて各遊技場をグループ分けするグループ分け手段と、を有し、
前記平均情報算出手段は、前記情報要求端末装置に対して送信する平均情報に関して、前記グループ分け手段によりグループ分けされた各グループ毎にグループ毎平均情報を算出し、
前記平均情報送信手段は、該平均情報算出手段により算出されたグループ毎平均情報を前記情報要求端末装置に対して送信することを特徴とする遊技用管理システム。
【発明の詳細な説明】
【０００１】
【発明の属する技術分野】
本発明は、遊技機での遊技に関連して発生する遊技関連情報と、該遊技関連情報に基づいて算出された各遊技機毎の遊技状況を示す指標となる遊技指標情報を、複数の遊技場について遊技場毎かつ遊技機毎に管理するための遊技用管理システムに係り、特に複数の遊技場に関する遊技関連情報及び／又は遊技指標情報を平均した平均情報を各遊技場に対して送信する遊技用管理システムに関する。
【０００２】
【従来の技術】
従来より、パチンコ機等の遊技機での遊技に関連して発生する遊技関連情報（例えば打込玉数，払出玉数，スタート回数，特賞回数，確変回数，及び売上金額等）と、該遊技関連情報に基づいて算出された各遊技機毎の遊技状況を示す指標となる遊技指標情報（例えば差玉数，出玉率，ベース，稼働時間，機械割数，粗利益，及び粗利率等）を、複数の遊技場について遊技場毎かつ遊技機毎に管理するための遊技用管理システムとして、遊技関連情報の記憶と遊技指標情報の算出及び記憶を行う端末装置を各遊技場に設けると共に、各遊技場から収集した遊技関連情報及び遊技指標情報を各遊技場毎かつ各遊技機毎に管理する管理サーバを遊技場外に設けた遊技場管理装置が知られている（例えば特許文献１を参照）。
【０００３】
【特許文献１】
特開２００２−２６３３３１号公報（第４頁，図１）
【０００４】
【発明が解決しようとする課題】
しかしながら、前記遊技場管理装置においては、遊技指標情報の算出及び記憶を行う端末装置を各遊技場に設ける必要があるため、該端末装置を導入するための各遊技場の費用負担が大きいと共に、該端末装置に対するメンテナンスを行うためには各遊技場まで出向く必要があり面倒である。また複数の遊技場に関する遊技関連情報及び／又は遊技指標情報から得られる情報は、各遊技場の経営判断において有用な情報となるが、前記遊技場管理装置は、チェーン店の遊技関連情報及び／又は遊技指標情報を単に管理サーバで一括して管理するものであるため、複数の遊技場に関する遊技関連情報及び／又は遊技指標情報から得られる情報を各遊技場に対してどのように提供するかについては、何ら考慮されていない。
【０００５】
本発明は、このような背景のもとになされたものであり、その目的は、複数の遊技場について遊技関連情報と遊技指標情報を遊技場毎かつ遊技機毎に管理するにあたり、該遊技指標情報の算出及び記憶を行う端末装置を各遊技場に設ける必要がないと共に、複数の遊技場に関する遊技関連情報及び／又は遊技指標情報から得られる、遊技場の経営判断において有用な情報を各遊技場に対して提供できる遊技用管理システムを提供することにある。
【０００６】
【課題を解決するための手段】
本発明は、前記課題を解決するために、次のような手段を採る。
【０００７】
まず請求項１に係る発明は、遊技機での遊技に関連して発生する遊技関連情報を複数の遊技機から収集して各遊技機毎に集計する集計手段と、該集計した遊技関連情報を遊技場外に送信する集計情報送信手段と、を有し、遊技場内に設けられる場内端末装置と、複数の遊技場の前記場内端末装置から送信されてきた遊技関連情報を各遊技場毎かつ各遊技機毎に記憶する遊技関連情報記憶手段と、該遊技関連情報記憶手段により記憶されている遊技関連情報に基づいて、各遊技機毎の遊技状況を示す指標となる遊技指標情報を算出する遊技指標情報算出手段と、該遊技指標情報算出手段により算出された遊技指標情報を各遊技場毎かつ各遊技機毎に記憶する遊技指標情報記憶手段と、前記遊技関連情報記憶手段により記憶している複数の遊技場に関する遊技関連情報及び／又は前記遊技指標情報記憶手段により記憶している複数の遊技場に関する遊技指標情報を平均した平均情報を算出する平均情報算出手段と、該平均情報算出手段により算出された平均情報から所定の抽出条件に合致する平均情報を抽出する平均情報抽出手段と、を有し、遊技場外に設けられる管理装置と、前記遊技関連情報記憶手段により記憶されている遊技関連情報及び／又は前記遊技指標情報記憶手段により記憶されている遊技指標情報の送信を前記管理装置に対して要求する情報要求手段と、前記平均情報を抽出するための抽出条件を指定する抽出条件指定手段と、を有し、遊技場内に設けられる情報要求端末装置と、を備え、前記管理装置は、前記情報要求端末装置からの要求に応じて、前記遊技関連情報記憶手段により記憶している遊技関連情報及び／又は前記遊技指標情報記憶手段により記憶している遊技指標情報を該情報要求端末装置に対して送信する記憶情報送信手段と、前記平均情報抽出手段により抽出された平均情報を前記情報要求端末装置に対して送信する平均情報送信手段と、を有し、前記情報要求端末装置は、前記管理装置から送信されてきた遊技関連情報及び／又は遊技指標情報、並びに平均情報を表示する情報表示手段と、を有することを特徴とする遊技用管理システムである。
【０００８】
また請求項２に係る発明は、請求項１に記載した遊技用管理システムであって、前記抽出条件指定手段は、前記抽出条件として前記遊技機の機種を指定し、前記遊技関連情報記憶手段は、前記遊技機の機種を特定可能な情報と対応付けて前記遊技関連情報を記憶し、前記遊技指標情報記憶手段は、前記遊技機の機種を特定可能な情報と対応付けて前記遊技指標情報を記憶し、前記平均情報算出手段は、各機種毎に前記平均情報を算出し、前記平均情報抽出手段は、前記平均情報算出手段により算出された各機種毎の平均情報から前記抽出条件指定手段により指定された遊技機の機種についての平均情報を抽出することを特徴とする遊技用管理システムである。
【０００９】
また請求項３に係る発明は、請求項１又は２に記載した遊技用管理システムであって、前記抽出条件指定手段は、前記抽出条件として前記遊技関連情報及び／又は前記遊技指標情報に関する条件を指定し、前記遊技関連情報記憶手段は、前記遊技機の機種を特定可能な情報と対応付けて前記遊技関連情報を記憶し、前記遊技指標情報記憶手段は、前記遊技機の機種を特定可能な情報と対応付けて前記遊技指標情報を記憶し、前記平均情報算出手段は、各機種毎に前記平均情報を算出し、前記平均情報抽出手段は、前記平均情報算出手段により算出された各機種毎の平均情報から前記抽出条件指定手段により指定された条件に合致する平均情報を抽出し、前記平均情報送信手段は、前記平均情報抽出手段により抽出された平均情報に加えて前記遊技機の機種を特定可能な情報を前記情報要求端末装置に対して送信することを特徴とする遊技用管理システムである。
【００１０】
また請求項４に係る発明は、遊技機での遊技に関連して発生する遊技関連情報を複数の遊技機から収集して各遊技機毎に集計する集計手段と、該集計した遊技関連情報を遊技場外に送信する集計情報送信手段と、を有し、遊技場内に設けられる場内端末装置と、複数の遊技場の前記場内端末装置から送信されてきた遊技関連情報を各遊技場毎かつ各遊技機毎に記憶する遊技関連情報記憶手段と、該遊技関連情報記憶手段により記憶されている遊技関連情報に基づいて、各遊技機毎の遊技状況を示す指標となる遊技指標情報を算出する遊技指標情報算出手段と、該遊技指標情報算出手段により算出された遊技指標情報を各遊技場毎かつ各遊技機毎に記憶する遊技指標情報記憶手段と、前記遊技関連情報記憶手段により記憶している複数の遊技場に関する遊技関連情報及び／又は前記遊技指標情報記憶手段により記憶している複数の遊技場に関する遊技指標情報から所定の抽出条件に合致する遊技関連情報及び／又は遊技指標情報を抽出する情報抽出手段と、該情報抽出手段により抽出された遊技関連情報及び／又は遊技指標情報を平均した平均情報を算出する平均情報算出手段と、を有し、遊技場外に設けられる管理装置と、前記遊技関連情報記憶手段により記憶されている遊技関連情報及び／又は前記遊技指標情報記憶手段により記憶されている遊技指標情報の送信を前記管理装置に対して要求する情報要求手段と、前記遊技関連情報及び／又は遊技指標情報を抽出するための抽出条件を指定する抽出条件指定手段と、を有し、遊技場内に設けられる情報要求端末装置と、を備え、前記管理装置は、前記情報要求端末装置からの要求に応じて、前記遊技関連情報記憶手段により記憶している遊技関連情報及び／又は前記遊技指標情報記憶手段により記憶している遊技指標情報を該情報要求端末装置に対して送信する記憶情報送信手段と、前記平均情報算出手段により算出された平均情報を前記情報要求端末装置に対して送信する平均情報送信手段と、を有し、前記情報要求端末装置は、前記管理装置から送信されてきた遊技関連情報及び／又は遊技指標情報、並びに平均情報を表示する情報表示手段と、を有することを特徴とする遊技用管理システムである。
【００１１】
また請求項５に係る発明は、請求項４に記載した遊技用管理システムであって、前記抽出条件指定手段は、前記抽出条件として前記遊技機の機種を指定し、前記遊技関連情報記憶手段は、前記遊技機の機種を特定可能な情報と対応付けて前記遊技関連情報を記憶し、前記遊技指標情報記憶手段は、前記遊技機の機種を特定可能な情報と対応付けて前記遊技指標情報を記憶し、前記情報抽出手段は、前記遊技関連情報記憶手段により記憶している複数の遊技場に関する遊技関連情報及び／又は前記遊技指標情報記憶手段により記憶している複数の遊技場に関する遊技指標情報から前記抽出条件指定手段により指定された遊技機の機種についての遊技関連情報及び／又は遊技指標情報を抽出することを特徴とする遊技用管理システムである。
【００１２】
また請求項６に係る発明は、請求項４又は５に記載した遊技用管理システムであって、前記抽出条件指定手段は、前記抽出条件として各遊技場の店舗に関する店舗情報に関する条件を指定し、前記管理装置は、各遊技場の前記店舗情報を記憶する店舗情報記憶手段を有し、前記情報抽出手段は、該店舗情報記憶手段の記憶情報に基づいて、前記遊技関連情報記憶手段により記憶している複数の遊技場に関する遊技関連情報及び／又は前記遊技指標情報記憶手段により記憶している複数の遊技場に関する遊技指標情報から前記抽出条件指定手段により指定された条件に合致する遊技場についての遊技関連情報及び／又は遊技指標情報を抽出することを特徴とする遊技用管理システムである。
【００１３】
また請求項７に係る発明は、請求項６に記載した遊技用管理システムであって、前記平均情報送信手段は、前記抽出条件指定手段により指定された条件に合致する遊技場が所定数に満たない場合には前記平均情報を前記情報要求端末装置に対して送信しないことを特徴とする遊技用管理システムである。
【００１４】
さらに請求項８に係る発明は、請求項１〜７のいずれか１つに記載した遊技用管理システムであって、前記管理装置は、各遊技場の店舗に関する店舗情報を記憶する店舗情報記憶手段と、該店舗情報記憶手段により記憶されている店舗情報に基づいて各遊技場をグループ分けするグループ分け手段と、を有し、前記平均情報算出手段は、前記情報要求端末装置に対して送信する平均情報に関して、前記グループ分け手段によりグループ分けされた各グループ毎にグループ毎平均情報を算出し、前記平均情報送信手段は、前記平均情報算出手段により算出されたグループ毎平均情報を前記情報要求端末装置に対して送信することを特徴とする遊技用管理システムである。
【００１５】
【発明の実施の形態】
以下、本発明の実施の形態を、図面を参照して説明する。本発明に係る遊技用管理システム１又は１’は、図１に示すように、遊技機（ここではパチンコ機Ｐ）での遊技に関連して発生する遊技関連情報（例えば打込玉数，払出玉数，スタート回数，特賞回数，確変回数，及び売上金額等）と、該遊技関連情報に基づいて算出された各遊技機毎の遊技状況を示す指標となる遊技指標情報（例えば差玉数，出玉率，ベース，稼働時間，機械割数，粗利益，及び粗利率等）を、複数の遊技場について遊技場毎かつ遊技機毎に管理するためのものであり、特に複数の遊技場に関する遊技関連情報及び／又は遊技指標情報を平均した平均情報を各遊技場に対して送信するものである。
【００１６】
この遊技用管理システムには、後述する図７（ａ）に示すように、管理装置（管理コンピュータ２０）において、複数の遊技場に関する遊技関連情報及び／又は遊技指標情報を平均した平均情報を算出し（Ｓ５）、該算出した平均情報から所定の抽出条件に合致する平均情報を抽出して、該抽出した平均情報を前記管理装置から情報要求端末装置（場内コンピュータ１０）に対して送信する（Ｓ１５）、第１実施形態に係る遊技用管理システム１と、後述する図７（ｂ）に示すように、管理装置（管理コンピュータ２０’）において、複数の遊技場に関する遊技関連情報及び／又は遊技指標情報から所定の抽出条件に合致する情報を抽出し（Ｓ１５’）、該抽出した情報を平均した平均情報を算出して、該算出した平均情報を前記管理装置から情報要求端末装置（場内コンピュータ１０）に対して送信する（Ｓ１６’）、第２実施形態に係る遊技用管理システム１’が含まれる。以下においては、まず第１実施形態に係る遊技用管理システム１について説明し、次に第２実施形態に係る遊技用管理システム１’について、第１実施形態に係る遊技用管理システム１と異なる点について説明する。
【００１７】
まず、第１実施形態に係る遊技用管理システム１の構成について説明する。なお、各遊技場Ａ〜Ｚ内の構成は略同様であるため、遊技場Ａ内の構成についてのみ図示し、遊技場Ｂ〜Ｚ内の構成については図示を省略する。
【００１８】
遊技用管理システム１は、図１に示すように、各遊技場Ａ〜Ｚ内に設けられ、場内端末装置及び情報要求端末装置として機能する場内コンピュータ１０と、遊技場外に設けられ、管理装置として機能する前記管理コンピュータ２０と、を備えている。この場内コンピュータ１０と管理コンピュータ２０とは通信可能であり、具体的には、光ファイバー，ＣＡＴＶ，又はｘＤＳＬ（例えばＡＤＳＬ）等の有線通信技術や、ＦＷＡ，又はＩＭＴ−２０００等の無線通信技術を用いて実現される、いわゆるブロードバンド回線によって通信可能とされている。
【００１９】
各遊技場Ａ〜Ｚ内には、図示しない遊技島において、パチンコ機Ｐ及び玉貸ユニットＵが、該パチンコ機Ｐの機種等に従って所定の位置に配置されている。ここでパチンコ機Ｐ及び玉貸ユニットＵは、台番号（１番台，２番台…）により識別可能とされている。これらパチンコ機Ｐ及び玉貸ユニットＵは、遊技島に設けられる台端末２，及び遊技場内の所定箇所（例えば管理事務所等）に設けられる中継コンピュータ３を介して、遊技場内の所定箇所（例えば管理事務所等）に設けられる場内コンピュータ１０と通信可能に接続されている。この台端末２は、複数（例えば４つ）の接続コネクタを備え、各接続コネクタに各パチンコ機Ｐ及び各玉貸ユニットＵを接続することにより、該接続された機器との間で通信可能なものである。また中継コンピュータ３は、台端末２と場内コンピュータ１０との間における通信を中継するものである。
【００２０】
パチンコ機Ｐは遊技機の一例であって、遊技媒体であるパチンコ玉を遊技領域に打ち込むことにより遊技を行うものであり、遊技領域には、始動入賞口，大入賞口，一般入賞口等の複数の入賞口や、複数種類の識別情報である図柄を可変表示可能な可変表示装置等が設けられている。このパチンコ機Ｐからは、遊技関連情報として、以下に説明する各種の信号が出力される。
【００２１】
まず遊技領域に打ち込まれて遊技に使用されたパチンコ玉（以下「打込玉」という。）が始動入賞口に入賞した場合には、可変表示装置の可変表示が開始されて所定時間の経過後に該可変表示が停止すると共に、該可変表示の停止を特定可能な情報として、１パルスのスタート信号が出力される。
【００２２】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な情報として、該特賞の発生から終了までの間において継続的な特賞信号が出力される。
【００２３】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として、該確変の発生から終了までの間において継続的な確変信号が出力される。
【００２４】
また遊技領域に打ち込まれた打込玉が各入賞口に入賞した場合には、各入賞口に応じた所定数のパチンコ玉が賞球として払い出されると共に、該賞球数を特定可能な情報として、１０個の賞球が払い出される毎に１パルスの賞球信号が出力される。
【００２５】
なお各入賞口に入賞した打込玉及びいずれの入賞口にも入賞しなかった打込玉は、パチンコ機Ｐの背後に設けられたアウトタンクに導かれ、該アウトタンクに付設された打込玉カウンタにて打込玉数が計数されると共に、該打込玉数を特定可能な情報として、１０個のパチンコ玉が計数される毎に１パルスの打込玉信号が出力される。
【００２６】
玉貸ユニットＵは、パチンコ機Ｐに対応して（ここではパチンコ機Ｐの左側に隣接して）設けられており、前記台端末２において該パチンコ機Ｐと同一の接続コネクタに接続される。この玉貸ユニットＵは、遊技に使用可能な遊技用有価価値の大きさ（例えば残度数）を特定可能な情報が記録された記録媒体（例えばプリペイドカード）を受け付け、該受け付けた記録媒体の記録情報を読み取り、該読み取った記録情報から特定される遊技用有価価値の大きさの範囲内における所定の遊技用有価価値の大きさに相当する数のパチンコ玉を、パチンコ機Ｐとの間でパチンコ玉の貸出に関する信号のやり取りを行うことによりパチンコ機Ｐの内部に設けられた玉払出装置から払い出して貸し出すもの（いわゆるＣＲユニット）である。この玉貸ユニットＵからは、遊技関連情報として、パチンコ玉の貸出が行われた場合に、該貸出に使用された遊技用有価価値の大きさ（即ち売上金額）を特定可能な情報として、売上金額１００円毎に１パルスの売上信号が出力される。
【００２７】
場内コンピュータ１０は、後述する集計手段（制御部１２），及び集計情報送信手段（場外通信部１１ｂ）を有する場内端末装置の一例であると共に、後述する情報要求手段（入力装置１３及びディスプレイ１４），抽出条件指定手段（入力装置１３及びディスプレイ１４），及び情報表示手段（ディスプレイ１４）を有する情報要求端末装置の一例でもある。このように、場内端末装置と情報要求端末装置とを場内コンピュータ１０として一体に構成したことにより、両装置を別々に設ける場合と比較して省スペース化を図ることができるので、遊技場内の限られたスペースを有効に活用できる。
【００２８】
この場内コンピュータ１０は、前述の如く遊技場内の所定箇所（例えば管理事務所等）に設けられ、図１に示すように接続される場内通信部１１ａ，場外通信部１１ｂ，制御部１２，入力装置１３，及びディスプレイ１４等を備えているコンピュータである。
【００２９】
場内通信部１１ａは、中継コンピュータ３と通信可能に接続され、該中継コンピュータ３及び前記台端末２を介して、パチンコ機Ｐ及び玉貸ユニットＵから遊技関連情報を収集するものである。
【００３０】
場外通信部１１ｂは、後述する管理コンピュータ２０の通信部２１と通信可能に接続され、場内コンピュータ１０と管理コンピュータ２０との間における通信を司るものである。この場外通信部１１ｂは、後述する集計手段（制御部１２）により集計した遊技関連情報を遊技場外に送信する集計情報送信手段として機能するものであり、具体的には、該集計手段が遊技関連情報を集計した際に、該集計した遊技関連情報を任意のタイミングで管理コンピュータ２０に対して送信する。また場外通信部１１ｂは、管理コンピュータ２０から送信されてくる遊技関連情報及び／又は遊技指標情報や平均情報を受信するものである。
【００３１】
制御部１２は、ＣＰＵ，ＲＡＭ，ＲＯＭ等を備え、ＲＯＭに記憶されている処理プログラムがＲＡＭを作業領域としてＣＰＵで実行されることにより、場内コンピュータ１０を制御して各種の処理を行うものである。この制御部１２は、ディスプレイ１４に表示する表示内容を制御する表示制御手段として機能するものである。また制御部１２は、遊技関連情報を複数のパチンコ機Ｐから収集して各パチンコ機Ｐ毎に集計する集計手段として機能するものであり、具体的には、場内通信部１１ａが複数のパチンコ機Ｐから遊技関連情報を収集した際に、該収集した遊技関連情報を各パチンコ機Ｐ毎に集計する。
【００３２】
入力装置１３は各種の入力を受け付けるためのものであり、例えばキーボード及びマウスである。ディスプレイ１４は各種の情報を表示するためのものであり、例えば液晶表示器である。ここでディスプレイ１４は、管理コンピュータ２０から送信されてきた遊技関連情報及び／又は遊技指標情報，並びに平均情報を表示する情報表示手段として機能するものである。
【００３３】
また入力装置１３及びディスプレイ１４は、後述する遊技関連情報記憶手段（管理コンピュータ２０のハードディスク２３）により記憶されている遊技関連情報及び／又は後述する遊技指標情報記憶手段（管理コンピュータ２０のハードディスク２３）により記憶されている遊技指標情報の送信を管理コンピュータ２０に対して要求する情報要求手段として機能するものであり、以下のようにして情報の送信が要求される。
【００３４】
即ち場内コンピュータ１０において、図示しないメニュー選択画面から「情報表示モード」が選択されると、図２のＤ１に示す表示情報指定画面がディスプレイ１４に表示される。このＤ１では、表示する情報の指定を促す旨が表示されると共に、該選択をするための「遊技関連情報・遊技指標情報」ボタン，及び「平均情報」ボタンが表示される。
【００３５】
このＤ１で入力装置１３の操作により、「遊技関連情報・遊技指標情報」ボタンが操作されると、図２のＤ２に示す送信要求画面がディスプレイ１４に表示される。このＤ２では、送信を要求する情報の指定を促す旨が表示されると共に、送信を要求する遊技関連情報を選択するためのコンボボックス，及び送信を要求する遊技指標情報を選択するためのコンボボックスが表示される。この遊技関連情報を選択するためのコンボボックスでは、選択肢として、後述する遊技関連情報に含まれる打込玉数，払出球数，スタート回数，特賞回数，確変回数，及び売上金額の各データが表示され、送信を要求する遊技関連情報として選択されたものは反転表示される。また遊技指標情報を選択するためのコンボボックスでは、選択肢として、後述する遊技指標情報に含まれる差玉数，出玉率，ベース，平均ＴＳ，平均ＴＹ，稼働時間，機械割数，粗利益，及び粗利率の各データが表示（一画面中に表示しきれない分はスクロール表示）され、送信を要求する遊技指標情報として選択されたものは反転表示される。
【００３６】
このＤ２で入力装置１３の操作により、遊技関連情報を選択するためのコンボボックス及び／又は遊技指標情報を選択するためのコンボボックスに表示される選択肢の中から一以上の情報が選択された状態で、「ＯＫ」ボタンが操作されると、各コンボボックスで選択された情報の送信が管理コンピュータ２０に対して要求される。そして該管理コンピュータ２０において、該要求に応じた遊技関連情報及び／又は遊技指標情報が、後述する遊技関連情報記憶手段により記憶されている遊技関連情報及び／又は後述する遊技指標情報記憶手段により記憶されている遊技指標情報から抽出され、該抽出された遊技関連情報及び／又は遊技指標情報が、管理コンピュータ２０から場内コンピュータ１０に対して送信される。
【００３７】
そして場内コンピュータ１０において、管理コンピュータ２０から送信されてきた遊技関連情報及び／又は遊技指標情報が受信されると、図２のＤ３に示す遊技関連情報・遊技指標情報表示画面が情報表示手段として機能するディスプレイ１４に表示される。このＤ３では、管理コンピュータ２０から送信されてきた遊技関連情報及び／又は遊技指標情報が表示され、具体的には、遊技場に設けられるすべてのパチンコ機Ｐについて、各パチンコ機Ｐの台番号と対応付けて、例えば売上金額，ベース，稼働時間，機械割数，粗利益，及び粗利率の各データが表示（一画面中に表示しきれない分はスクロール表示）される。
【００３８】
さらに入力装置１３及びディスプレイ１４は、平均情報を抽出するための所定の抽出条件を指定する抽出条件指定手段として機能するものであり、以下のようにして抽出条件が指定される。
【００３９】
即ち前記Ｄ１で入力装置１３の操作により、「平均情報」ボタンが操作されると、図３（ａ）のＤ４に示す抽出条件指定画面がディスプレイ１４に表示される。このＤ４では、前記抽出条件として、パチンコ機Ｐの機種，遊技関連情報及び／又は遊技指標情報（ここでは売上金額，ベース，稼働時間，機械割数，粗利益，及び粗利率）に関する条件の、合計７つの条件のうちの１以上の条件を指定可能であり、各条件の先頭に設けられているチェックボックスがチェックされることにより、該チェックされた条件の指定を受付可能となる。
【００４０】
ここでパチンコ機Ｐの機種を指定する場合には、入力装置１３の操作により、「機種」の先頭に設けられているチェックボックスをチェックした状態で、該パチンコ機Ｐの機種を指定するためのコンボボックスに表示される選択肢の中から１の機種を選択し、「ＯＫ」ボタンを操作すると、該選択された機種が抽出条件として指定される。この機種を指定するためのコンボボックスでは、選択肢として、自店に設置されているパチンコ機Ｐの機種のみならず、他店に設置されており管理コンピュータ２０で管理されているパチンコ機Ｐの機種が表示される。
【００４１】
また売上金額に関する条件を指定する場合には、入力装置１３の操作により、「売上金額」の先頭に設けられているチェックボックスをチェックした状態で、該売上金額の基準値を入力するための入力欄のいずれか一方に該基準値を入力し、「ＯＫ」ボタンを操作すると、該入力された基準値以上又は基準値以下の売上金額が抽出条件として指定される。同様にして、ベース，稼働時間，機械割数，粗利益，及び粗利率に関する条件も指定される。
【００４２】
以上のようにして指定された抽出条件は管理コンピュータ２０に対して送信される。そして該管理コンピュータ２０において、該抽出条件に合致する平均情報が、後述する平均情報算出手段により算出されて後述する平均情報記憶手段により記憶されている平均情報から抽出され、該抽出された平均情報が、管理コンピュータ２０から場内コンピュータ１０に対して送信される。そして場内コンピュータ１０において、管理コンピュータ２０から送信されてきた平均情報が受信されると、後述する図８〜図１１に示す平均情報表示画面が情報表示手段として機能するディスプレイ１４に表示される。なおＤ１〜Ｄ４で、入力装置１３の操作により、「メニュー」ボタンが操作されると、図示しないメニュー選択画面に戻り、「戻る」ボタンが操作されると、一つ前の画面に戻る。
【００４３】
管理コンピュータ２０は管理装置の一例であって、遊技関連情報記憶手段（ハードディスク２３）と、遊技指標情報算出手段（制御部２２）と、遊技指標情報記憶手段（ハードディスク２３）と、店舗情報記憶手段（ハードディスク２３）と、グループ分け手段（制御部２２）と、平均情報算出手段（制御部２２）と、平均情報抽出手段（制御部２２）と、記憶情報送信手段（通信部２１）と、平均情報送信手段（通信部２１）と、を有するものである。この管理コンピュータ２０は、前述の如く遊技場外に設けられ、図１に示すように接続される通信部２１，制御部２２，及びハードディスク２３等を備えているコンピュータである。
【００４４】
通信部２１は、前述の如く場内コンピュータ１０の場外通信部１１ｂと通信可能に接続され、管理コンピュータ２０と場内コンピュータ１０との間における通信を司るものである。この通信部２１は、場内コンピュータ１０からの要求に応じて、遊技関連情報記憶手段により記憶している遊技関連情報及び／又は遊技指標情報記憶手段により記憶している遊技指標情報を該場内コンピュータ１０対して送信する記憶情報送信手段として機能するものである。
【００４５】
また通信部２１は、平均情報抽出手段により抽出された平均情報を場内コンピュータ１０に対して送信する平均情報送信手段として機能するものである。ここで通信部２１は、該平均情報抽出手段により抽出された平均情報に加えてパチンコ機Ｐの機種を特定可能な場内コンピュータ１０に対して送信する。また通信部２１は、平均情報算出手段により算出されたグループ毎平均情報を場内コンピュータ１０に対して送信する。ただし通信部２１は、グループ分け手段によりグループ分けされた各グループに含まれる遊技場が所定数（例えば２店舗）に満たない場合には前記グループ毎平均情報を場内コンピュータ１０に対して送信しない。この所定数は、管理コンピュータ２０において予め設定される。
【００４６】
制御部２２は、ＣＰＵ，ＲＡＭ，ＲＯＭ等を備え、ハードディスク２３に記憶されている処理プログラムがＲＡＭを作業領域としてＣＰＵで実行されることにより、管理コンピュータ２０を制御して各種の処理を行うものである。この制御部２２は、図４に示す式に基づいて、遊技関連情報記憶手段として機能するハードディスク２３により記憶されている遊技関連情報に基づいて遊技指標情報を算出する遊技指標情報算出手段として機能するものである。また制御部２２は、グループ分け手段，平均情報算出手段，及び平均情報抽出手段として機能するものでもあるが、これらについては後述する。
【００４７】
ハードディスク２３は、図４に示すように、複数の遊技場の場内コンピュータ１０から送信されてきた遊技関連情報を各遊技場毎かつ各パチンコ機Ｐ毎に記憶する遊技関連情報記憶手段として機能すると共に、前記遊技指標情報算出手段により算出された遊技指標情報を各遊技場毎かつ各パチンコ機Ｐ毎に記憶する遊技指標情報記憶手段として機能するものである。
【００４８】
このハードディスク２３には複数日分のデータテーブルが設けられており、各日付毎のデータテーブルには、遊技場名，パチンコ機Ｐの機種を特定可能な情報である機種名，及び各パチンコ機Ｐの台番号と対応付けて、遊技関連情報として打込玉数，払出玉数，スタート回数，特賞回数，確変回数，及び売上金額が記憶されると共に、遊技指標情報として差玉数，出玉率，ベース，平均ＴＳ，平均ＴＹ，稼働時間，機械割数，粗利益，及び粗利率が記憶される。これらの各値は、場内コンピュータ１０から送信されてくる遊技関連情報，及び前記遊技指標情報算出手段により算出される遊技指標情報に基づいて更新される。
【００４９】
またハードディスク２３は、図５（ａ）に示すように、各遊技場の店舗に関する店舗情報を記憶する店舗情報記憶手段として機能するものであり、ここでは遊技場名と対応付けて、該遊技場におけるパチンコ機Ｐの設置台数と、該遊技場の立地条件が、店舗情報として記憶される。この立地条件としては、駅周辺（ターミナル），駅周辺（その他），郊外（幹線道路沿い），郊外（その他），又は住宅地のいずれかが記憶される。
【００５０】
前記制御部２２は、店舗情報記憶手段により記憶されている店舗情報に基づいて各遊技場をグループ分けするグループ分け手段として機能するものである。具体的には、設置台数に基づいてグループ分けする場合には、図５（ｂ）に示すように、設置台数が０〜３００台，３０１〜５００台，５０１〜１０００台，又は１００１台〜の４グループに各遊技場をグループ分けすると共に、各グループ内において、立地条件毎に各遊技場をグループ分けする。また立地条件に基づいてグループ分けする場合には、図５（ｃ）に示すように、立地条件が駅周辺（ターミナル），駅周辺（その他），郊外（幹線道路沿い），郊外（その他），又は住宅地の５グループに各遊技場をグループ分けすると共に、各グループ内において、設置台数毎に各遊技場をグループ分けする。
【００５１】
また制御部２２は、遊技関連情報記憶手段により記憶している複数の遊技場に関する遊技関連情報及び／又は遊技指標情報記憶手段により記憶している複数の遊技場に関する遊技指標情報を平均した平均情報を算出する平均情報算出手段として機能するものである。ここで制御部２２は、図６に示すように、該遊技関連情報及び／又は遊技指標情報のうちの売上金額，ベース，稼働時間，機械割数，粗利益，及び粗利率について、各機種毎に平均情報（即ち該機種が設置されている遊技場に関する遊技関連情報及び／又は遊技指標情報を平均した全体平均）を算出し、該算出された平均情報は、平均情報記憶手段として機能するハードディスク２３により記憶される。また制御部２２は、場内コンピュータ１０に対して送信する平均情報に関して、前記グループ分け手段によりグループ分けされた各グループ毎に平均したグループ毎平均情報を算出する。
【００５２】
さらに制御部２２は、平均情報算出手段により算出された平均情報から所定の抽出条件に合致する平均情報を抽出する平均情報抽出手段として機能するものであり、具体的には、平均情報算出手段により算出されて平均情報記憶手段として機能するハードディスク２３により記憶されている平均情報から、前記抽出条件指定手段により指定された抽出条件に合致する平均情報を抽出する。
【００５３】
次に、第１実施形態に係る遊技用管理システム１の作用について説明する。まず図７（ａ）は第１実施形態に係る遊技用管理システム１の作用の一例を表す図である。この遊技用管理システム１では、まず場内コンピュータ１０において、パチンコ機Ｐ及び玉貸ユニットＵで発生した遊技関連情報が台端末２及び中継コンピュータ３を介して場内通信部１１ａに入力された際に、集計手段として機能する制御部１２により、該遊技関連情報が各パチンコ機Ｐ毎に集計され（Ｓ１）、集計情報送信手段として機能する場外通信部１１ｂにより、管理コンピュータ２０に対して、該集計された遊技関連情報が送信される（Ｓ２）。
【００５４】
次に管理コンピュータ２０において、図４に示すように、遊技関連情報記憶手段として機能するハードディスク２３により、遊技場Ａの場内コンピュータ１０から送信されてきた遊技関連情報が該遊技場毎かつ各パチンコ機Ｐ毎に記憶され（Ｓ３）、遊技指標情報算出手段として機能する制御部２２により、ハードディスク２３により記憶されている遊技関連情報に基づいて遊技指標情報が算出されて、遊技指標情報記憶手段として機能するハードディスク２３により、該遊技指標情報算出手段により算出された遊技指標情報が各遊技場毎かつ各パチンコ機Ｐ毎に記憶され（Ｓ４）、図６に示すように、平均情報算出手段として機能する制御部２２により、遊技関連情報記憶手段として機能するハードディスク２３により記憶されている複数の遊技場に関する遊技関連情報及び／又は遊技指標情報記憶手段として機能するハードディスク２３により記憶されている遊技指標情報を平均した平均情報が各機種毎に算出されて、平均情報記憶手段として機能するハードディスク２３により、該平均情報算出手段により算出された平均情報が各機種毎に記憶される（Ｓ５）。
【００５５】
次に場内コンピュータ１０において、図２のＤ２に示すように、情報要求手段として機能する入力装置１３及びディスプレイ１４により、遊技関連情報及び／又は遊技指標情報の送信が管理コンピュータ２０に対して要求されると（Ｓ１１）、管理コンピュータ２０において、遊技関連情報記憶手段として機能するハードディスク２３により記憶されている遊技関連情報及び／又は遊技指標情報記憶手段として機能するハードディスク２３により記憶されている遊技指標情報から該要求に応じた遊技関連情報及び／又は遊技指標情報が抽出されて、該抽出された遊技関連情報及び／又は遊技指標情報が場内コンピュータ１０に対して送信され（Ｓ１３）、場内コンピュータ１０において、図２のＤ３に示すように、情報表示手段として機能するディスプレイ１４により、管理コンピュータ２０から送信されてきた遊技関連情報及び／又は遊技指標情報が表示される。
【００５６】
また場内コンピュータ１０において、図３（ａ）のＤ４に示すように、抽出条件指定手段として機能する入力装置１３及びディスプレイ１４により、抽出条件が指定されて、該指定された抽出条件が管理コンピュータ２０に対して送信されると（Ｓ１４）、管理コンピュータ２０において、平均情報記憶手段として機能するハードディスク２３により記憶されている平均情報から該抽出条件に合致する平均情報が抽出されて、該抽出された平均情報が場内コンピュータ１０に対して送信され（Ｓ１５）、場内コンピュータ１０において、後述する図８〜図１１に示すように、情報表示手段として機能するディスプレイ１４により、管理コンピュータ２０から送信されてきた平均情報が表示される。
【００５７】
以下、図８〜図１１について詳述する。なお各図に示される画面で、入力装置１３の操作により、「メニュー」ボタンが操作されると、図示しないメニュー選択画面に戻り、「戻る」ボタンが操作されると、一つ前の画面に戻る。
【００５８】
まず図８〜図１０は抽出条件として遊技機の機種が指定された場合において場内コンピュータ１０のディスプレイ１４に表示される平均情報表示画面の一例を表す図である。まず場内コンピュータ１０において、図３（ａ）のＤ４に示す抽出条件指定画面で、抽出条件としてパチンコ機Ｐの機種（例えばＣＲ．ＡＡＡ）が指定されると、図６に示すハードディスク２３により記憶されている平均情報から、該抽出条件として指定されたパチンコ機Ｐの機種についての平均情報が抽出されると共に、該機種が設置されている遊技場が、設置台数に基づくグループ，立地条件に基づくグループ，及び設置台数と立地条件に基づくグループにグループ分けされて、前記抽出された機種についての平均情報に関して、該グループ分けされた各グループ毎に平均したグループ毎平均情報が算出され、該抽出された平均情報（全体平均）と該算出されたグループ毎平均情報が場内コンピュータ１０に対して送信される。
【００５９】
ただしグループ分けされた各グループに含まれる遊技場が所定数（例えば２店舗）に満たない場合には、該グループについてのグループ毎平均情報は場内コンピュータ１０に対して送信されない。具体的には、図５（ｂ）（ｃ）に示すように、設置台数が０〜３００台で立地条件が幹線道路沿いの郊外であるグループ，設置台数が５０１〜１０００台で立地条件がターミナルの駅周辺であるグループ，設置台数が５０１〜１０００台で立地条件が住宅地であるグループ，及び設置台数が１００１台〜で立地条件が住宅地であるグループには、各々１店舗しか含まれず、個別の遊技場が特定されてしまう可能性があるため、それらグループについてのグループ毎平均情報は場内コンピュータ１０に対して送信されない。
【００６０】
次に場内コンピュータ１０において、管理コンピュータ２０から送信されてきた平均情報が受信されると、図８のＤ５に示す平均情報表示画面がディスプレイ１４に表示される。このＤ５では、前記抽出条件として指定されたパチンコ機Ｐの機種（ここではＣＲ．ＡＡＡ）が表示されると共に、管理コンピュータ２０から送信されてきた平均情報（全体平均）が表示される。このように、複数の遊技場に関する遊技関連情報及び／又は遊技指標情報を平均した平均情報が機種毎に算出され、場内コンピュータ１０において、パチンコ機Ｐの機種が指定されると、前記算出された平均情報から抽出された該指定された遊技機の機種についての平均情報が表示されるので、既に自店に設置している機種の今後の運用の参考にしたり、これから自店に導入する予定の機種の稼働状況等を事前に知ることができる。
【００６１】
このＤ５で、入力装置１３の操作により、「設置台数別詳細情報」ボタンが操作されると、図９のＤ６に示す平均情報表示画面がディスプレイ１４に表示される。このＤ６では、前記抽出条件として指定されたパチンコ機Ｐの機種（ここではＣＲ．ＡＡＡ）が表示されると共に、設置台数別詳細情報として、設置台数が０〜３００台である遊技場のグループについてのグループ毎平均情報と、設置台数が３０１〜５００台である遊技場のグループについてのグループ毎平均情報と、設置台数が５０１〜１０００台である遊技場のグループについてのグループ毎平均情報と、設置台数が１００１台〜である遊技場のグループについてのグループ毎平均情報が表示される。
【００６２】
このＤ６で、入力装置１３の操作により、「詳細」ボタンのいずれか（ここでは設置台数０〜３００台についての詳細ボタン）が操作されると、図９のＤ７に示す平均情報表示画面がディスプレイ１４に表示される。このＤ７では、前記抽出条件として指定されたパチンコ機Ｐの機種（ここではＣＲ．ＡＡＡ）と、前記操作された詳細ボタンについての設置台数が表示されると共に、該設置台数のグループについての立地条件別詳細情報として、立地条件が駅周辺（ターミナル）である遊技場のグループについてのグループ毎平均情報と、立地条件が駅周辺（その他）である遊技場のグループについてのグループ毎平均情報と、立地条件が郊外（幹線道路沿い）である遊技場のグループについてのグループ毎平均情報と、立地条件が郊外（その他）である遊技場のグループについてのグループ毎平均情報と、立地条件が住宅地である遊技場のグループについてのグループ毎平均情報が表示される。なお一画面中に表示しきれない平均情報は、「前へ」ボタン又は「次へ」ボタンが操作されることにより表示される。
【００６３】
一方、前記Ｄ５で、入力装置１３の操作により、「立地条件別詳細情報」ボタンが操作されると、図１０のＤ８に示す平均情報表示画面がディスプレイ１４に表示される。このＤ８では、前記抽出条件として指定されたパチンコ機Ｐの機種（ここではＣＲ．ＡＡＡ）が表示されると共に、立地条件別詳細情報として、立地条件が駅周辺（ターミナル）である遊技場のグループについてのグループ毎平均情報と、立地条件が駅周辺（その他）である遊技場のグループについてのグループ毎平均情報と、立地条件が郊外（幹線道路沿い）である遊技場のグループについてのグループ毎平均情報と、立地条件が郊外（その他）である遊技場のグループについてのグループ毎平均情報と、立地条件が住宅地である遊技場のグループについてのグループ毎平均情報が表示される。なお一画面中に表示しきれない平均情報は、「前へ」ボタン又は「次へ」ボタンが操作されることにより表示される。
【００６４】
このＤ８で、入力装置１３の操作により、「詳細」ボタンのいずれか（ここでは駅周辺（ターミナル）についての詳細ボタン）が操作されると、図１０のＤ９に示す平均情報表示画面がディスプレイ１４に表示される。このＤ９では、前記抽出条件として指定されたパチンコ機Ｐの機種（ここではＣＲ．ＡＡＡ）と、前記操作された詳細ボタンについての立地条件が表示されると共に、該立地条件のグループについての設置台数別詳細情報として、設置台数が０〜３００台である遊技場のグループについてのグループ毎平均情報と、設置台数が３０１〜５００台である遊技場のグループについてのグループ毎平均情報と、設置台数が５０１〜１０００台である遊技場のグループについてのグループ毎平均情報と、設置台数が１００１台〜である遊技場のグループについてのグループ毎平均情報が表示される。
【００６５】
このように、場内コンピュータ１０において、店舗情報に基づいてグループ分けされた各グループ毎のグループ毎平均情報が表示されるので、例えば自店の設置台数や立地条件が近い等の店舗情報をも加味して平均情報の検討を行うことができる。なお前述の如く、グループ分けされた各グループに含まれる遊技場が所定数（例えば２店舗）に満たない場合には、該グループについての平均情報は場内コンピュータ１０に対して送信されず、場内コンピュータ１０において該平均情報が表示されないので、個別の遊技場が特定されてしまうような場合に該個別の遊技場の平均情報が提供されることが無くなり、自店の情報を他店に見られることを嫌う遊技場に配慮できる。
【００６６】
次に図１１は第１実施形態で抽出条件として遊技関連情報及び／又は遊技指標情報に関する条件が指定された場合において場内コンピュータ１０のディスプレイ１４に表示される平均情報表示画面の一例を表す図である。まず場内コンピュータ１０において、図３（ａ）のＤ４に示す抽出条件指定画面で、抽出条件として遊技関連情報及び／又は遊技指標情報に関する条件（例えば売上金額５万円以上）が指定されると、図６に示すハードディスク２３により記憶されている平均情報から、該抽出条件として指定された売上金額（全体平均）５万円以上であるパチンコ機Ｐの機種についての平均情報が抽出されると共に、該機種が設置されている遊技場が、設置台数に基づくグループ，立地条件に基づくグループ，及び設置台数と立地条件に基づくグループにグループ分けされて、前記抽出された機種についての平均情報に関して、該グループ分けされた各グループ毎に平均したグループ毎平均情報が算出され、該抽出された平均情報（全体平均）と該算出されたグループ毎平均情報に加えて該パチンコ機Ｐの機種を特定可能な情報が場内コンピュータ１０に対して送信される。ただしグループ分けされた各グループに含まれる遊技場が所定数（例えば２店舗）に満たない場合に、該グループについてのグループ毎平均情報が場内コンピュータ１０に対して送信されない点は、前記と同様である。
【００６７】
次に場内コンピュータ１０において、管理コンピュータ２０から送信されてきた平均情報及びパチンコ機Ｐの機種を特定可能な情報が受信されると、図１１のＤ１０に示す平均情報表示画面がディスプレイ１４に表示される。このＤ１０では、前記抽出条件として指定された遊技関連情報及び／又は遊技指標情報に関する条件（ここでは売上金額５万円以上）が表示されると共に、管理コンピュータ２０から送信されてきた平均情報（全体平均）が、パチンコ機Ｐの機種を特定可能な情報（機種名）と共に表示される。このように、場内コンピュータ１０において、遊技関連情報及び／又は遊技指標情報に関する条件が指定されると、前記算出された平均情報から抽出された該指定された条件に合致する平均情報が、パチンコ機Ｐの機種を特定可能な情報と共に表示されるので、これから自店に導入するパチンコ機Ｐの機種を検討する上で有用な情報を提供できる。
【００６８】
このＤ１０で、入力装置１３の操作により、「詳細」ボタンのいずれか（ここではＣＲ．ＡＡＡについての詳細ボタン）が操作されると、図１１のＤ１１に示す平均情報表示画面がディスプレイ１４に表示される。このＤ１１では、前記抽出条件として指定された遊技関連情報及び／又は遊技指標情報に関する条件（ここでは売上金額５万円以上）と、前記詳細ボタンについてのパチンコ機Ｐの機種（ここではＣＲ．ＡＡＡ）が表示されると共に、管理コンピュータ２０から送信されてきた平均情報（全体平均）が表示される。このＤ１１で、入力装置１３の操作により、「設置台数別詳細情報」ボタンが操作されると、前記図９のＤ６に示す平均情報表示画面がディスプレイ１４に表示され、「立地条件別詳細情報」ボタンが操作されると、前記図９のＤ８に示す平均情報表示画面がディスプレイ１４に表示される。
【００６９】
以上に説明したように、第１実施形態に係る遊技用管理システム１によれば、遊技指標情報の算出及び記憶を行う端末装置を各遊技場に設ける必要がないので、該端末装置を導入するための各遊技場の費用負担を低減できると共に、該端末装置に対して従来行っていたメンテナンスが、管理コンピュータ２０に対するメンテナンスで済むため、該メンテナンスを行うために各遊技場まで出向くという面倒がなくなる。また管理コンピュータ２０において、複数の遊技場に関する遊技関連情報及び／又は遊技指標情報を平均した平均情報が算出され、所定の抽出条件に合致する平均情報が抽出されて各遊技場に対して送信されるので、各遊技場の経営判断において有用な情報を各遊技場に対して提供できる。
【００７０】
次に、第２実施形態に係る遊技用管理システム１’の構成について説明する。遊技用管理システム１’は、図１に示すように、第１実施形態に係る遊技用管理システム１における管理コンピュータ２０に代えて管理コンピュータ２０’を備えるものである。
【００７１】
場内コンピュータ１０は、第１実施形態と同様のものである。ただし入力装置１３及びディスプレイ１４は、遊技関連情報及び／又は遊技指標情報を抽出するための所定の抽出条件を指定する抽出条件指定手段として機能するものであり、以下のようにして抽出条件が指定される。
【００７２】
即ち前記Ｄ１で入力装置１３の操作により、「平均情報」ボタンが操作されると、図３（ｂ）のＤ４’に示す抽出条件指定画面がディスプレイ１４に表示される。このＤ４’では、前記抽出条件として、パチンコ機Ｐの機種，店舗条件（ここでは設置台数，及び立地条件）に関する条件の、合計３つの条件のうちの１以上の条件を指定可能であり、各条件の先頭に設けられているチェックボックスがチェックされることにより、該チェックされた条件の指定を受付可能となる。ここでパチンコ機Ｐの機種を指定する場合は、第１実施形態と同様である。
【００７３】
また設置台数に関する条件を指定する場合には、入力装置１３の操作により、該設置台数を指定するためのコンボボックスに表示される選択肢の中から１の設置台数を選択し、「ＯＫ」ボタンを操作すると、該選択された設置台数が抽出条件として指定される。この設置台数を指定するためのコンボボックスでは、選択肢として、０〜３００台，３０１〜５００台，５０１〜１０００台，及び１００１台〜が表示される。
【００７４】
また立地条件に関する条件を指定する場合には、入力装置１３の操作により、該立地条件を指定するためのコンボボックスに表示される選択肢の中から１の立地条件を選択し、「ＯＫ」ボタンを操作すると、該選択された立地条件が抽出条件として指定される。この立地条件を指定するためのコンボボックスでは、選択肢として、駅周辺（ターミナル），駅周辺（その他），郊外（幹線道路沿い），郊外（その他），及び住宅地が表示される。
【００７５】
以上のようにして指定された抽出条件は管理コンピュータ２０’に対して送信される。そして該管理コンピュータ２０’において、該抽出条件に合致する遊技関連情報及び／又は遊技指標情報が、後述する遊技関連情報記憶手段により記憶されている遊技関連情報及び／又は遊技指標情報記憶手段により記憶されている遊技指標情報から抽出され、該抽出された情報が平均されて平均情報が算出され、該算出された平均情報が、管理コンピュータ２０’から場内コンピュータ１０に対して送信される。そして場内コンピュータ１０において、管理コンピュータ２０’から送信されてきた平均情報が受信されると、前記図８〜図１０，及び後述する図１２に示す平均情報表示画面が情報表示手段として機能するディスプレイ１４に表示される。
【００７６】
管理コンピュータ２０’は管理装置の一例であって、前記遊技関連情報記憶手段（ハードディスク２３’）と、前記遊技指標情報算出手段（制御部２２’）と、前記遊技指標情報記憶手段（ハードディスク２３’）と、前記店舗情報記憶手段（ハードディスク２３’）と、前記グループ分け手段（制御部２２’）と、情報抽出手段（制御部２２’）と、平均情報算出手段（制御部２２’）と、前記記憶情報送信手段（通信部２１）と、前記平均情報送信手段（通信部２１）と、を有するものである。この管理コンピュータ２０’は、遊技場外に設けられ、図１に示すように接続される通信部２１’，制御部２２’，及びハードディスク２３’等を備えているコンピュータである。
【００７７】
通信部２１’は、場内コンピュータ１０の場外通信部１１ｂと通信可能に接続され、管理コンピュータ２０’と場内コンピュータ１０との間における通信を司るものである。この通信部２１’は、前記通信部２１と同様に、記憶情報送信手段として機能するものである。
【００７８】
また通信部２１’は、平均情報算出手段により算出された平均情報を場内コンピュータ１０に対して送信する平均情報送信手段として機能するものである。ここで通信部２１’は、平均情報算出手段により算出されたグループ毎平均情報を場内コンピュータ１０に対して送信する。ただし通信部２１’は、グループ分け手段によりグループ分けされた各グループに含まれる遊技場が所定数（例えば２店舗）に満たない場合には前記グループ毎平均情報を場内コンピュータ１０に対して送信しない。また通信部２１’は、前記抽出条件指定手段により指定された店舗情報に関する条件に合致する遊技場が所定数（例えば２店舗）に満たない場合には前記平均情報を場内コンピュータ１０に対して送信しない。これら所定数は、管理コンピュータ２０’において予め設定される。
【００７９】
制御部２２’は、ＣＰＵ，ＲＡＭ，ＲＯＭ等を備え、ハードディスク２３’に記憶されている処理プログラムがＲＡＭを作業領域としてＣＰＵで実行されることにより、管理コンピュータ２０’を制御して各種の処理を行うものである。この制御部２２’は、前記制御部２２と同様に、遊技指標情報算出手段，及びグループ分け手段として機能するものである。また制御部２２’は、情報抽出手段，及び平均情報算出手段として機能するものでもあるが、これらについては後述する。
【００８０】
ハードディスク２３’は、前記ハードディスク２３と同様に、遊技関連情報記憶手段，遊技指標情報記憶手段，及び店舗情報記憶手段として機能するものであるが、該ハードディスク２３とは異なり、平均情報算出手段により算出された平均情報は記憶されない。
【００８１】
前記制御部２２’は、遊技関連情報記憶手段により記憶している複数の遊技場に関する遊技関連情報及び／又は遊技指標情報記憶手段により記憶している複数の遊技場に関する遊技指標情報から所定の抽出条件に合致する遊技関連情報及び／又は遊技指標情報を抽出する情報抽出手段として機能するものである。また制御部２２’は、情報抽出手段により抽出された遊技関連情報及び／又は遊技指標情報を平均した平均情報を算出する平均情報算出手段として機能するものである。さらに制御部２２’は、場内コンピュータ１０に対して送信する平均情報に関して、前記グループ分け手段によりグループ分けされた各グループ毎に平均したグループ毎平均情報を算出する。
【００８２】
次に、第２実施形態に係る遊技用管理システム１’の作用について説明する。まず図７（ｂ）は第２実施形態に係る遊技用管理システム１’の作用の一例を表す図である。この遊技用管理システム１’では、前記遊技用管理システム１と同様に、Ｓ１〜Ｓ４の処理，及びＳ１１〜Ｓ１３の処理が行われるが、該遊技用管理システム１とは異なり、Ｓ５の処理は行われない。
【００８３】
次に場内コンピュータ１０において、図３（ａ）のＤ４’に示すように、抽出条件指定手段として機能する入力装置１３及びディスプレイ１４により、抽出条件が指定されて、該指定された抽出条件が管理コンピュータ２０’に対して送信されると（Ｓ１４’）、管理コンピュータ２０’において、遊技関連情報記憶手段として機能するハードディスク２３’により記憶されている遊技関連情報及び／又は遊技指標情報記憶手段として機能するハードディスク２３’により記憶されている遊技指標情報から該抽出条件に合致する遊技関連情報及び／又は遊技指標情報が抽出され（Ｓ１５’）、該抽出された情報が平均されて平均情報が算出され、該算出された平均情報が場内コンピュータ１０に対して送信され（Ｓ１６’）、場内コンピュータ１０において、前記図８〜図１０，及び後述する図１２に示すように、情報表示手段として機能するディスプレイ１４により、管理コンピュータ２０’から送信されてきた平均情報が表示される。
【００８４】
以下、図８〜図１０，及び図１２について詳述する。なお各図に示される画面で、入力装置１３の操作により、「メニュー」ボタンが操作されると、図示しないメニュー選択画面に戻り、「戻る」ボタンが操作されると、一つ前の画面に戻る。
【００８５】
まず図８〜図１０は抽出条件として遊技機の機種が指定された場合において場内コンピュータ１０のディスプレイ１４に表示される平均情報表示画面の一例を表す図である。まず場内コンピュータ１０において、図３（ａ）のＤ４’に示す抽出条件指定画面で、抽出条件としてパチンコ機Ｐの機種（例えばＣＲ．ＡＡＡ）が指定されると、図４に示すハードディスクにより記憶されている遊技関連情報及び／又は遊技指標情報から、該抽出条件として指定されたパチンコ機Ｐの機種についての情報が抽出されて、該情報を平均した平均情報（全体平均）が算出されると共に、該機種が設置されている遊技場が、設置台数に基づくグループ，立地条件に基づくグループ，及び設置台数と立地条件に基づくグループにグループ分けされて、前記抽出された機種についての平均情報に関して、該グループ分けされた各グループ毎に平均したグループ毎平均情報が算出され、該抽出された平均情報（全体平均）と該算出されたグループ毎平均情報が場内コンピュータ１０に対して送信される。ただしグループ分けされた各グループに含まれる遊技場が所定数（例えば２店舗）に満たない場合に、該グループについてのグループ毎平均情報が場内コンピュータ１０に対して送信されない点は、第１実施形態と同様である。
【００８６】
次に場内コンピュータ１０において、管理コンピュータ２０’から送信されてきた平均情報が受信されると、前記図８〜図１０と同様に、平均情報表示画面がディスプレイ１４に表示される。このように、場内コンピュータ１０において、パチンコ機Ｐの機種が指定されると、管理コンピュータ２０’において、複数の遊技場に関する遊技関連情報及び／又は遊技指標情報から該指定されたパチンコ機Ｐの機種についての情報が抽出されて、該抽出された情報を平均した平均情報が算出され、場内コンピュータ１０において、該算出された平均情報が表示されるので、既に自店に設置している機種の今後の運用の参考にしたり、これから自店に導入する予定の機種の稼働状況等を事前に知ることができる。
【００８７】
また第２実施形態においても、第１実施形態（図９〜図１０を参照）と同様に、場内コンピュータ１０において、店舗情報に基づいてグループ分けされた各グループ毎のグループ毎平均情報が表示されるので、例えば自店の設置台数や立地条件が近い等の店舗情報をも加味して平均情報の検討を行うことができる。なお前述の如く、グループ分けされた各グループに含まれる遊技場が所定数（例えば２店舗）に満たない場合には、該グループについてのグループ毎平均情報は場内コンピュータ１０に対して送信されず、場内コンピュータ１０において該グループ毎平均情報が表示されないので、個別の遊技場が特定されてしまうような場合に該個別の遊技場の平均情報が提供されることが無くなり、自店の情報を他店に見られることを嫌う遊技場に配慮できる。
【００８８】
次に図１２は第２実施形態で抽出条件として店舗情報に関する条件が指定された場合において場内コンピュータ１０のディスプレイ１４に表示される平均情報表示画面の一例を表す図である。まず場内コンピュータ１０において、図３（ｂ）のＤ４’に示す抽出条件指定画面で、抽出条件として店舗情報（例えば設置台数が０〜３００台，かつ立地条件が駅周辺（ターミナル））が指定されると、図５に示す各遊技場の店舗情報に基づいて、図４に示すハードディスクにより記憶されている遊技関連情報及び／又は遊技指標情報から、該抽出条件として指定された設置台数が０〜３００台，かつ立地条件が駅周辺（ターミナル）である遊技場についての情報が抽出されて、該情報を平均した平均情報（全体平均）が算出されると共に、パチンコ機Ｐの機種毎の平均情報が算出され、該算出された平均情報（全体平均）と機種毎の平均情報に加えて該パチンコ機Ｐの機種を特定可能な情報が場内コンピュータ１０に対して送信される。ただし抽出条件指定手段により指定された店舗情報に関する条件に合致する遊技場が所定数（例えば２店舗）に満たない場合には、該遊技場についての平均情報は場内コンピュータ１０に対して送信されない。
【００８９】
次に場内コンピュータ１０において、管理コンピュータ２０’から送信されてきた平均情報が受信されると、図１２のＤ１２’に示す平均情報表示画面がディスプレイ１４に表示される。このＤ１２’では、前記抽出条件として指定された店舗情報に関する条件（ここでは設置台数が０〜３００台，かつ立地条件が駅周辺（ターミナル））が表示されると共に、管理コンピュータ２０’から送信されてきた平均情報（全体平均）が表示される。このように、場内コンピュータ１０において、店舗情報に関する条件が指定されると、管理コンピュータ２０’において、複数の遊技場に関する遊技関連情報及び／又は遊技指標情報から該指定された条件に合致する遊技場についての情報が抽出されて、該抽出された情報を平均した平均情報が算出され、場内コンピュータ１０において、該算出された平均情報が表示されるので、例えば各遊技場が自店に近い店舗情報に関する条件を指定することにより、各遊技場にとってより有用な情報を提供できる。
【００９０】
このＤ１２’で、入力装置１３の操作により、「機種別詳細情報」ボタンが操作されると、図１２のＤ１３’に示す平均情報表示画面がディスプレイ１４に表示される。このＤ１３’では、管理コンピュータ２０’から送信されてきた機種毎の平均情報が、パチンコ機Ｐの機種を特定可能な情報（機種名）と共に表示される。
【００９１】
なお前述の如く、指定された店舗情報に関する条件に合致する遊技場が所定数に満たない場合には、該遊技場についての平均情報は場内コンピュータ１０に対して送信されず、場内コンピュータ１０において該平均情報が表示されないので、個別の遊技場が特定されてしまうような場合に該個別の遊技場の平均情報が提供されることが無くなり、自店の情報を他店に見られることを嫌う遊技場に配慮できる。例えば立地条件を大きな区分けとしても、設置台数が１００１台〜である大型店は特定されてしまうおそれがあるが、これによれば、該大型店の個別データが流出してしまうおそれが無くなる。
【００９２】
以上に説明したように、第２実施形態に係る遊技用管理システム１’によれば、遊技指標情報の算出及び記憶を行う端末装置を各遊技場に設ける必要がないので、該端末装置を導入するための各遊技場の費用負担を低減できると共に、該端末装置に対して従来行っていたメンテナンスが、管理コンピュータ２０’に対するメンテナンスで済むため、該メンテナンスを行うために各遊技場まで出向くという面倒がなくなる。また管理コンピュータ２０’において、複数の遊技場に関する遊技関連情報及び／又は遊技指標情報から所定の抽出条件に合致する情報が抽出され、該抽出された情報を平均した平均情報が算出されて各遊技場に対して送信されるので、各遊技場の経営判断において有用な情報を各遊技場に対して提供できる。
【００９３】
以上に説明した実施形態と対応付けて本願の請求項に係る発明を説明すると、以下のとおりである。
【００９４】
まず請求項１に係る発明は、遊技機（パチンコ機Ｐ）での遊技に関連して発生する遊技関連情報を複数の遊技機から収集して各遊技機毎に集計する集計手段（制御部１２）と、該集計した遊技関連情報を遊技場外に送信する集計情報送信手段（場外通信部１１ｂ）と、を有し、遊技場内に設けられる場内端末装置（場内コンピュータ１０）と、複数の遊技場の前記場内端末装置から送信されてきた遊技関連情報を各遊技場毎かつ各遊技機毎に記憶する遊技関連情報記憶手段（ハードディスク２３）と、該遊技関連情報記憶手段により記憶されている遊技関連情報に基づいて、各遊技機毎の遊技状況を示す指標となる遊技指標情報を算出する遊技指標情報算出手段（制御部２２）と、該遊技指標情報算出手段により算出された遊技指標情報を各遊技場毎かつ各遊技機毎に記憶する遊技指標情報記憶手段（ハードディスク２３）と、前記遊技関連情報記憶手段により記憶している複数の遊技場に関する遊技関連情報及び／又は前記遊技指標情報記憶手段により記憶している複数の遊技場に関する遊技指標情報を平均した平均情報を算出する平均情報算出手段（制御部２２）と、該平均情報算出手段により算出された平均情報から所定の抽出条件に合致する平均情報を抽出する平均情報抽出手段（制御部２２）と、を有し、遊技場外に設けられる管理装置（管理コンピュータ２０）と、前記遊技関連情報記憶手段により記憶されている遊技関連情報及び／又は前記遊技指標情報記憶手段により記憶されている遊技指標情報の送信を前記管理装置に対して要求する情報要求手段（入力装置１３及びディスプレイ１４）と、前記平均情報を抽出するための抽出条件を指定する抽出条件指定手段（入力装置１３及びディスプレイ１４）と、を有し、遊技場内に設けられる情報要求端末装置（場内コンピュータ１０）と、を備え、前記管理装置は、前記情報要求端末装置からの要求に応じて、前記遊技関連情報記憶手段により記憶している遊技関連情報及び／又は前記遊技指標情報記憶手段により記憶している遊技指標情報を該情報要求端末装置に対して送信する記憶情報送信手段（通信部２１）と、前記平均情報抽出手段により抽出された平均情報を前記情報要求端末装置に対して送信する平均情報送信手段（通信部２１）と、を有し、前記情報要求端末装置は、前記管理装置から送信されてきた遊技関連情報及び／又は遊技指標情報、並びに平均情報を表示する情報表示手段（ディスプレイ１４）と、を有することを特徴とする遊技用管理システム（１）である。
【００９５】
また請求項２に係る発明は、請求項１に記載した遊技用管理システム（１）であって、前記抽出条件指定手段（入力装置１３及びディスプレイ１４）は、前記抽出条件として前記遊技機（パチンコ機Ｐ）の機種を指定し、前記遊技関連情報記憶手段（ハードディスク２３）は、前記遊技機の機種を特定可能な情報と対応付けて前記遊技関連情報を記憶し、前記遊技指標情報記憶手段（ハードディスク２３）は、前記遊技機の機種を特定可能な情報と対応付けて前記遊技指標情報を記憶し、前記平均情報算出手段（制御部２２）は、各機種毎に前記平均情報を算出し、前記平均情報抽出手段（制御部２２）は、前記平均情報算出手段により算出された各機種毎の平均情報から前記抽出条件指定手段により指定された遊技機の機種についての平均情報を抽出することを特徴とする遊技用管理システムである。
【００９６】
また請求項３に係る発明は、請求項１又は２に記載した遊技用管理システム（１）であって、前記抽出条件指定手段（入力装置１３及びディスプレイ１４）は、前記抽出条件として前記遊技関連情報及び／又は前記遊技指標情報に関する条件を指定し、前記遊技関連情報記憶手段（ハードディスク２３）は、前記遊技機（パチンコ機Ｐ）の機種を特定可能な情報と対応付けて前記遊技関連情報を記憶し、前記遊技指標情報記憶手段（ハードディスク２３）は、前記遊技機の機種を特定可能な情報と対応付けて前記遊技指標情報を記憶し、前記平均情報算出手段（制御部２２）は、各機種毎に前記平均情報を算出し、前記平均情報抽出手段（制御部２２）は、前記平均情報算出手段により算出された各機種毎の平均情報から前記抽出条件指定手段により指定された条件に合致する平均情報を抽出し、前記平均情報送信手段（通信部２１）は、前記平均情報抽出手段により抽出された平均情報に加えて前記遊技機の機種を特定可能な情報を前記情報要求端末装置（場内コンピュータ１０）に対して送信することを特徴とする遊技用管理システムである。
【００９７】
また請求項４に係る発明は、遊技機（パチンコ機Ｐ）での遊技に関連して発生する遊技関連情報を複数の遊技機から収集して各遊技機毎に集計する集計手段（制御部１２）と、該集計した遊技関連情報を遊技場外に送信する集計情報送信手段（場外通信部１１ｂ）と、を有し、遊技場内に設けられる場内端末装置（場内コンピュータ１０）と、複数の遊技場の前記場内端末装置から送信されてきた遊技関連情報を各遊技場毎かつ各遊技機毎に記憶する遊技関連情報記憶手段（ハードディスク２３’）と、該遊技関連情報記憶手段により記憶されている遊技関連情報に基づいて、各遊技機毎の遊技状況を示す指標となる遊技指標情報を算出する遊技指標情報算出手段（制御部２２’）と、該遊技指標情報算出手段により算出された遊技指標情報を各遊技場毎かつ各遊技機毎に記憶する遊技指標情報記憶手段（ハードディスク２３’）と、前記遊技関連情報記憶手段により記憶している複数の遊技場に関する遊技関連情報及び／又は前記遊技指標情報記憶手段により記憶している複数の遊技場に関する遊技指標情報から所定の抽出条件に合致する遊技関連情報及び／又は遊技指標情報を抽出する情報抽出手段（制御部２２’）と、該情報抽出手段により抽出された遊技関連情報及び／又は遊技指標情報を平均した平均情報を算出する平均情報算出手段（制御部２２’）と、を有し、遊技場外に設けられる管理装置（管理コンピュータ２０’）と、前記遊技関連情報記憶手段により記憶されている遊技関連情報及び／又は前記遊技指標情報記憶手段により記憶されている遊技指標情報の送信を前記管理装置に対して要求する情報要求手段（入力装置１３及びディスプレイ１４）と、前記遊技関連情報及び／又は遊技指標情報を抽出するための抽出条件を指定する抽出条件指定手段（入力装置１３及びディスプレイ１４）と、を有し、遊技場内に設けられる情報要求端末装置（場内コンピュータ１０）と、を備え、前記管理装置は、前記情報要求端末装置からの要求に応じて、前記遊技関連情報記憶手段により記憶している遊技関連情報及び／又は前記遊技指標情報記憶手段により記憶している遊技指標情報を該情報要求端末装置に対して送信する記憶情報送信手段（通信部２１’）と、前記平均情報算出手段により算出された平均情報を前記情報要求端末装置に対して送信する平均情報送信手段（通信部２１’）と、を有し、前記情報要求端末装置は、前記管理装置から送信されてきた遊技関連情報及び／又は遊技指標情報、並びに平均情報を表示する情報表示手段（ディスプレイ１４）と、を有することを特徴とする遊技用管理システム（１’）である。
【００９８】
また請求項５に係る発明は、請求項４に記載した遊技用管理システム（１’）であって、前記抽出条件指定手段（入力装置１３及びディスプレイ１４）は、前記抽出条件として前記遊技機（パチンコ機Ｐ）の機種を指定し、前記遊技関連情報記憶手段（ハードディスク２３’）は、前記遊技機の機種を特定可能な情報と対応付けて前記遊技関連情報を記憶し、前記遊技指標情報記憶手段（ハードディスク２３’）は、前記遊技機の機種を特定可能な情報と対応付けて前記遊技指標情報を記憶し、前記情報抽出手段（制御部２２’）は、前記遊技関連情報記憶手段により記憶している複数の遊技場に関する遊技関連情報及び／又は前記遊技指標情報記憶手段により記憶している複数の遊技場に関する遊技指標情報から前記抽出条件指定手段により指定された遊技機の機種についての遊技関連情報及び／又は遊技指標情報を抽出することを特徴とする遊技用管理システムである。
【００９９】
また請求項６に係る発明は、請求項４又は５に記載した遊技用管理システム（１’）であって、前記抽出条件指定手段（入力装置１３及びディスプレイ１４）は、前記抽出条件として各遊技場の店舗に関する店舗情報に関する条件を指定し、前記管理装置（管理コンピュータ２０’）は、各遊技場の前記店舗情報を記憶する店舗情報記憶手段（ハードディスク２３’）を有し、前記情報抽出手段（制御部２２’）は、該店舗情報記憶手段の記憶情報に基づいて、前記遊技関連情報記憶手段（ハードディスク２３’）により記憶している複数の遊技場に関する遊技関連情報及び／又は前記遊技指標情報記憶手段（ハードディスク２３’）により記憶している複数の遊技場に関する遊技指標情報から前記抽出条件指定手段により指定された条件に合致する遊技場についての遊技関連情報及び／又は遊技指標情報を抽出することを特徴とする遊技用管理システムである。
【０１００】
また請求項７に係る発明は、請求項６に記載した遊技用管理システム（１’）であって、前記平均情報送信手段（通信部２１’）は、前記抽出条件指定手段（入力装置１３及びディスプレイ１４）により指定された条件に合致する遊技場が所定数に満たない場合には前記平均情報を前記情報要求端末装置（場内コンピュータ１０）に対して送信しないことを特徴とする遊技用管理システムである。
【０１０１】
さらに請求項８に係る発明は、請求項１〜７のいずれか１つに記載した遊技用管理システム（１又は１’）であって、前記管理装置（管理コンピュータ２０又は２０’）は、各遊技場の店舗に関する店舗情報を記憶する店舗情報記憶手段（ハードディスク２３又は２３’）と、該店舗情報記憶手段により記憶されている店舗情報に基づいて各遊技場をグループ分けするグループ分け手段（制御部２２又は２２’）と、を有し、前記平均情報算出手段（制御部２２又は２２’）は、前記情報要求端末装置（場内コンピュータ１０）に対して送信する平均情報に関して、前記グループ分け手段によりグループ分けされた各グループ毎にグループ毎平均情報を算出し、前記平均情報送信手段（通信部２１又は２１’）は、前記平均情報算出手段により算出されたグループ毎平均情報を前記情報要求端末装置（場内コンピュータ１０）に対して送信することを特徴とする遊技用管理システムである。
【０１０２】
最後に、本発明の変形例について説明する。
【０１０３】
上記の実施形態では、遊技機がＣＲ式のパチンコ機Ｐである例について説明したが、これに限らず、該遊技機は、現金玉貸機から貸し出されるパチンコ玉を使用して遊技を行う現金式のパチンコ機でも良い。またパチンコ機は、遊技媒体であるパチンコ玉が指触不能に封入されると共に入賞口への入賞に応じて得点が付与される封入式のパチンコ機や、遊技領域や遊技媒体であるパチンコ玉が画像にて表示されると共に入賞に応じて得点が付与される画像式のパチンコ機や、入賞口への入賞に応じてクレジットが加算されるクレジット式のパチンコ機であっても良い。さらに遊技機は、パチンコ機には限られず、遊技媒体としてメダルを使用するスロットマシンでも良い。
【０１０４】
上記の実施形態では、遊技関連情報及び遊技指標情報が図４に示す各値である例について説明したが、これに限らず、遊技関連情報は、遊技機での遊技に関連して発生する情報であれば良く、遊技指標情報は、該遊技関連情報に基づいて算出される、各遊技機毎の遊技状況を示す指標となる情報であれば良い。
【０１０５】
上記の実施形態では、場内端末装置と情報要求端末装置が一体の場内コンピュータ１０として構成される例について説明したが、これに限らず、該場内端末装置と情報要求端末装置は、それぞれ別体の装置により構成されるようにしても良い。
【０１０６】
上記の実施形態では、情報要求端末装置（場内コンピュータ１０）からの要求に応じて遊技関連情報及び／又は遊技指標情報が送信される例について説明したが、これに限らず、情報要求端末装置からの要求に関係なく遊技関連情報及び／又は遊技指標情報のうちの所定の情報が定期的に送信されるようにしても良い。また該送信される情報は、文字情報のみならず、グラフ形式の情報でも良く、またグラフを作成可能な情報（即ちグラフ化される前の元情報）でも良い。
【０１０７】
上記の第１実施形態では、図６に示すように、遊技関連情報及び遊技指標情報のうちの売上金額，ベース，稼働時間，機械割数，粗利益，及び粗利率の各データについて平均情報が算出される例について説明したが、これに限らず、図４に示す遊技関連情報及び／又は遊技指標情報から選択された任意のデータについて平均情報が算出されれば良く、該平均情報が算出されるデータの種類を管理装置（管理コンピュータ２０）において設定できるようにしても良い。
【０１０８】
上記の第２実施形態では、図１２に示すように、店舗情報に関する条件として設置台数と立地条件の双方が指定される例について説明したが、これに限らず、該店舗情報に関する条件として、設置台数又は立地条件のいずれか一方のみが指定されるものでも良い。この場合には、例えば店舗情報に関する条件として設置台数のみが指定された場合には、該指定された条件に合致する遊技場が、立地条件を基準としてグループ分けされて、該グループ分けされた各グループ毎にグループ毎平均情報が算出され、該グループ毎平均情報が表示される。また店舗情報に関する条件として立地条件のみが指定された場合には、該指定された条件に合致する遊技場が、設置台数を基準としてグループ分けされて、該グループ分けされた各グループ毎にグループ毎平均情報が算出され、該グループ毎平均情報が表示される。
【０１０９】
上記の実施形態では、第１実施形態に係る遊技用管理システム１と第２実施形態に係る遊技用管理システム１’とが別個のシステムである例について説明したが、これに限らず、該第１実施形態の機能と第２実施形態の機能とを切替可能なシステム，又は該第１実施形態の機能と第２実施形態の機能の双方を備えるシステムとしても良い。
【０１１０】
【発明の効果】
本発明に係る遊技用管理システムによれば、以下のような効果を奏する。
【０１１１】
まず請求項１に係る遊技用管理システムによれば、遊技指標情報の算出及び記憶を行う端末装置を各遊技場に設ける必要がないので、該端末装置を導入するための各遊技場の費用負担を低減できると共に、該端末装置に対して従来行っていたメンテナンスが、管理装置に対するメンテナンスで済むため、該メンテナンスを行うために各遊技場まで出向くという面倒がなくなる。また管理装置において、複数の遊技場に関する遊技関連情報及び／又は遊技指標情報を平均した平均情報が算出され、所定の抽出条件に合致する平均情報が抽出されて各遊技場に対して送信されるので、各遊技場の経営判断において有用な情報を各遊技場に対して提供できる。
【０１１２】
また請求項２に係る遊技用管理システムによれば、複数の遊技場に関する遊技関連情報及び／又は遊技指標情報を平均した平均情報が機種毎に算出され、情報要求端末装置において、遊技機の機種が指定されると、前記算出された平均情報から抽出された該指定された遊技機の機種についての平均情報が表示されるので、既に自店に設置している機種の今後の運用の参考にしたり、これから自店に導入する予定の機種の稼働状況等を事前に知ることができる。
【０１１３】
また請求項３に係る遊技用管理システムによれば、複数の遊技場に関する遊技関連情報及び／又は遊技指標情報を平均した平均情報が機種毎に算出され、情報要求端末装置において、遊技関連情報及び／又は遊技指標情報に関する条件が指定されると、該指定された条件に合致する平均情報が、遊技機の機種を特定可能な情報と共に表示されるので、これから自店に導入する遊技機の機種を検討する上で有用な情報を提供できる。
【０１１４】
また請求項４に係る遊技用管理システムによれば、遊技指標情報の算出及び記憶を行う端末装置を各遊技場に設ける必要がないので、該端末装置を導入するための各遊技場の費用負担を低減できると共に、該端末装置に対して従来行っていたメンテナンスが、管理装置に対するメンテナンスで済むため、該メンテナンスを行うために各遊技場まで出向くという面倒がなくなる。また管理装置において、複数の遊技場に関する遊技関連情報及び／又は遊技指標情報から所定の抽出条件に合致する情報が抽出され、該情報を平均した平均情報が算出されて各遊技場に対して送信されるので、各遊技場の経営判断において有用な情報を各遊技場に対して提供できる。
【０１１５】
また請求項５に係る遊技用管理システムによれば、情報要求端末装置において、遊技機の機種が指定されると、管理装置において、複数の遊技場に関する遊技関連情報及び／又は遊技指標情報から該指定された遊技機の機種についての情報が抽出されて、該抽出された情報を平均した平均情報が算出され、情報要求端末装置において、該算出された平均情報が表示されるので、既に自店に設置している機種の今後の運用の参考にしたり、これから自店に導入する予定の機種の稼働状況等を事前に知ることができる。
【０１１６】
また請求項６に係る遊技用管理システムによれば、情報要求端末装置において、店舗情報に関する条件が指定されると、管理装置において、複数の遊技場に関する遊技関連情報及び／又は遊技指標情報から該指定された条件に合致する遊技場についての情報が抽出されて、該情報を平均した平均情報が算出され、情報要求端末装置において、該算出された平均情報が表示されるので、例えば各遊技場が自店に近い店舗情報に関する条件を指定することにより、各遊技場にとってより有用な情報を提供できる。
【０１１７】
また請求項７に係る遊技用管理システムによれば、指定された店舗情報に関する条件に合致する遊技場が所定数に満たない場合には、情報要求端末装置において、平均情報が表示されないので、個別の遊技場が特定されてしまうような場合に該個別の遊技場の平均情報が提供されることが無くなり、自店の情報を他店に見られることを嫌う遊技場に配慮できる。
【０１１８】
さらに請求項８に係る遊技用管理システムによれば、情報要求端末装置において、店舗情報に基づいてグループ分けされた各グループ毎のグループ毎平均情報が表示されるので、店舗情報をも加味して平均情報の検討を行うことができる。
【図面の簡単な説明】
【図１】図１は遊技用管理システムの構成の一例を表す機能ブロック図である。
【図２】図２は場内コンピュータのディスプレイに表示される画面の一例を表す図である。
【図３】図３は場内コンピュータのディスプレイに表示される抽出条件指定画面の一例を表す図であり、（ａ）は第１実施形態，（ｂ）は第２実施形態である。
【図４】図４は管理コンピュータのハードディスクに記憶されている遊技関連情報及び遊技指標情報の一例を表す図である。
【図５】図５（ａ）は管理コンピュータのハードディスクに記憶されている店舗情報の一例を表す図であり、図５（ｂ）は設置台数を基準としたグループ分けの一例を表す図であり、図５（ｃ）は立地条件を基準としたグループ分けの一例を表す図である。
【図６】図６は第１実施形態に係る管理コンピュータのハードディスクに記憶されている平均情報の一例を表す図である。
【図７】図７は遊技用管理システムの作用の一例を表す図であり、（ａ）は第１実施形態，（ｂ）は第２実施形態である。
【図８】図８は抽出条件として遊技機の機種が指定された場合において場内コンピュータのディスプレイに表示される平均情報表示画面の一例を表す図である。
【図９】図９は図８に続く図である。
【図１０】図１０は図８に続く図である。
【図１１】図１１は第１実施形態で抽出条件として遊技関連情報及び／又は遊技指標情報に関する条件が指定された場合において場内コンピュータのディスプレイに表示される平均情報表示画面の一例を表す図である。
【図１２】図１２は第２実施形態で抽出条件として店舗情報が指定された場合において場内コンピュータのディスプレイに表示される平均情報表示画面の一例を表す図である。
【符号の説明】
１…遊技用管理システム
１０…場内コンピュータ
１１ｂ…場外通信部
１２…制御部
１３…入力装置
１４…ディスプレイ
２０…管理コンピュータ
２１…通信部
２２…制御部
２３…ハードディスク
Ｐ…パチンコ機
【図１】
2004254969.tif 000003
【図２】
2004254969.tif 000004
【図３】
2004254969.tif 000005
【図４】
2004254969.tif 000006
【図５】
2004254969.tif 000007
【図６】
2004254969.tif 000008
【図７】
2004254969.tif 000009
【図８】
2004254969.tif 000010
【図９】
2004254969.tif 000011
【図１０】
2004254969.tif 000012
【図１１】
2004254969.tif 000013
【図１２】
2004254969.tif 000014